(57)【要約】【課題】電子機器本体とリモコン装置との通信の回数を少なくして、簡単なシステムで、電子機器本体とリモコン装置との距離に応じたコンテンツの出力の制御を行うことができる電子機器を提供する。【解決手段】テレビ受信装置１は、放送受信機２と、リモコン信号を送信するリモコン装置３とを備えている。放送受信機２は、リモコン信号受信部７と、コンテンツを出力するディスプレイ５及びスピーカー６と、リモコン信号に基づいてコンテンツの出力を制御する本体側制御部８と、電波を周期的に送信する電波送信部９とを備えている。そして、リモコン装置３は、送信された電波を受信する電波受信部１３と、受信された電波の強度を測定する電界強度測定部１５と、測定された電波の強度に基づいて放送受信機２とリモコン装置３との距離を検出する距離検出部１６と、上記の距離を示す信号をリモコン信号として送信するリモコン信号送信部１２とを備えている。【選択図】図１
2009253453.tif 000002
【特許請求の範囲】
【請求項１】
電子機器本体と、前記電子機器本体を遠隔操作するためのリモコン信号を送信するリモコン装置とを備え、
前記電子機器本体は、前記リモコン信号を受信するリモコン信号受信部と、コンテンツを出力する出力部と、前記リモコン信号に基づいて前記コンテンツの出力を制御する本体側制御部と、電波を前記リモコン装置へ周期的に送信する電波送信部とを備え、
前記リモコン装置は、前記電波送信部によって送信された電波を受信する電波受信部と、前記電波受信部によって受信された電波の強度を測定する電界強度測定部と、電界強度測定部によって測定された電波の強度に基づいて前記電子機器本体と前記リモコン装置との距離を検出する距離検出部と、前記距離を示す信号を前記リモコン信号として送信するリモコン信号送信部とを備える
ことを特徴とする電子機器。
【請求項２】
前記出力部は映像を表示するとともに、前記本体側制御部は、前記距離を示す信号に基づいて、表示される前記映像の明るさを制御することを特徴とする請求項１に記載の電子機器。
【請求項３】
前記距離を示す信号が、前記距離が遠いことを示している場合は、前記距離が近いことを示している場合に比し、前記本体側制御部は、表示される前記映像の明るさを明るくするように制御することを特徴とする請求項２に記載の電子機器。
【請求項４】
前記出力部は音声を再生するとともに、前記本体側制御部は、前記距離を示す信号に基づいて、再生される前記音声の音量を制御することを特徴とする請求項１乃至請求項３のいずれか１項に記載の電子機器。
【請求項５】
前記距離を示す信号が、前記距離が遠いことを示している場合は、前記距離が近いことを示している場合に比し、前記本体側制御部は、再生される前記音声の音量を大きくするように制御することを特徴とする請求項４に記載の電子機器。
【請求項６】
前記リモコン装置は、前記距離を検出するための閾値が記憶された記憶部をさらに備え、
前記距離検出部は、測定された前記電波の強度と前記閾値とを比較して、前記距離を検出することを特徴とする請求項１乃至請求項５のいずれか１項に記載の電子機器。
【請求項７】
前記電波送信部は、前記リモコン装置の位置を検出するための位置検出信号の電波を送信し、
前記リモコン装置は、前記電波受信部が前記位置検出信号の電波を受信した場合に、前記リモコン装置の位置を報知する報知部をさらに備えることを特徴とする請求項１乃至請求項６のいずれか１項に記載の電子機器。
【発明の詳細な説明】
【技術分野】
【０００１】
本発明は、リモコン装置を備えたテレビ受信装置等の電子機器に関する。
【背景技術】
【０００２】
一般に、テレビ受信装置等の電子機器は、電子機器本体を遠隔操作するためのリモコン装置を備えている。例えば、テレビ受信装置においては、リモコン装置に設けられたボタン等の操作部の操作内容に対応して、電子機器本体を遠隔操作するための信号（以下、「リモコン信号」という。）をリモコン装置からテレビ本体へ送信することにより、テレビ本体のチャンネルや音量等を操作するように構成されている。また、一般に、電子機器本体からリモコン装置へ信号を送信することも知られている（例えば、特許文献１参照）。
【０００３】
また、上記のようなリモコン装置を備えた電子機器として、電子機器本体とリモコン装置との距離に応じて、画質を調整する（即ち、コンテンツの出力を制御する）ものが開示されている。より具体的には、リモコン（リモコン装置）のスイッチ（操作部）が操作されることにより、リモコン信号が映像表示装置（電子機器本体）へ送信される。リモコン信号を受信した映像表示装置は、超音波を用いてリモコンへ信号を送信する。そして、リモコンは超音波を受信して映像表示装置から送信された信号を検出するとともに、リモコンの時間測定部において、スイッチが操作されたときから超音波の信号を検出するまでの時間を測定する。リモコンは、測定された時間を示すリモコン信号として映像表示装置へ送信するとともに、映像表示装置は、時間を示すリモコン信号に基づいて、視聴者と映像表示装置との距離（即ち、リモコンと映像表示装置との距離）を算出するとともに、算出された距離に応じて、表示する映像の画質を調整する（例えば、特許文献２参照）。
【特許文献１】特開２０００−９１９３０号公報
【特許文献２】特開平７−３２７１５１号公報
【発明の開示】
【発明が解決しようとする課題】
【０００４】
しかしながら、上記特許文献２に記載の電子機器においては、電子機器本体とリモコン装置との距離に応じた画質の調整を行うことができるものの、リモコン装置から電子機器本体へのリモコン信号の送信と、電子機器本体からリモコン装置への超音波の送信と、さらに、リモコン装置から電子機器本体へのリモコン信号の送信が必要であった。即ち、電子機器本体とリモコン装置との距離に応じたコンテンツの出力の制御を行う際の電子機器本体とリモコン装置との通信の回数が多く、複雑なシステムであるという問題があった。
【０００５】
本発明は、こうした実情に鑑みてなされたものであり、その目的は、電子機器本体とリモコン装置との通信の回数を少なくして、簡単なシステムで、電子機器本体とリモコン装置との距離に応じたコンテンツの出力の制御を行うことができる電子機器を提供することにある。
【課題を解決するための手段】
【０００６】
請求項１に記載の発明は、電子機器本体と、電子機器本体を遠隔操作するためのリモコン信号を送信するリモコン装置とを備え、電子機器本体は、リモコン信号を受信するリモコン信号受信部と、コンテンツを出力する出力部と、リモコン信号に基づいてコンテンツの出力を制御する本体側制御部と、電波をリモコン装置へ周期的に送信する電波送信部とを備え、リモコン装置は、電波送信部によって送信された電波を受信する電波受信部と、電波受信部によって受信された電波の強度を測定する電界強度測定部と、電界強度測定部によって測定された電波の強度に基づいて電子機器本体とリモコン装置との距離を検出する距離検出部と、上記の距離を示す信号をリモコン信号として送信するリモコン信号送信部とを備えることを特徴とする。
【０００７】
同構成によれば、電子機器本体は、電波をリモコン装置へ周期的に送信する電波送信部を備え、リモコン装置は、送信された電波を受信する電波受信部と、受信した電波の強度を測定する電界強度測定部と、測定された電波の強度に基づいて電子機器本体とリモコン装置との距離を検出する距離検出部を備えている。このため、電子機器本体からリモコン装置へ送信された電波の強度を測定することによって、電子機器本体とリモコン装置との距離を検出することができる。そして、リモコン装置は、電子機器本体とリモコン装置との距離を示す信号をリモコン信号として送信するリモコン信号送信部をさらに備え、電子機器本体は、リモコン信号を受信するリモコン信号受信部と、コンテンツを出力する出力部と、リモコン信号に基づいてコンテンツの出力を制御する本体側制御部とをさらに備えている。このため、リモコン装置から電子機器本体へ送信されたリモコン信号に基づいて、電子機器本体とリモコン装置との距離に応じて、コンテンツの出力を制御することができる。即ち、電子機器本体とリモコン装置との距離に応じたコンテンツの出力の制御を行う際の電子機器本体とリモコン装置との通信は、電子機器本体からリモコン装置への電波の送信と、リモコン装置から電子機器本体へのリモコン信号の送信が行われるだけである。従って、電子機器本体とリモコン装置との通信の回数を少なくして、簡単なシステムで、電子機器本体とリモコン装置との距離に応じたコンテンツの出力の制御を行うことができる。また、リモコン装置が距離検出部を備えるため、電子機器本体が、電子機器本体とリモコン装置との距離を検出する距離検出部を備える場合に比し、電子機器本体の構成を簡単にすることができる。また、電子機器本体とリモコン装置との距離を検出するために強度が測定される電波は、電波送信部によりリモコン装置へ周期的に送信されるため、電子機器本体とリモコン装置との距離を監視することができる。
【０００８】
請求項２に記載の発明は、請求項１に記載の電子機器であって、出力部は映像を表示するとともに、本体側制御部は、上記の距離を示す信号に基づいて、表示される映像の明るさを制御することを特徴とする。
【０００９】
同構成によれば、本体側制御部は、上記の距離を示す信号に基づいて、出力部に表示される映像の明るさを制御するため、リモコン装置を使用するユーザーと電子機器本体が備えた映像が表示される出力部との距離に応じて、ユーザーが視聴しやすい映像を提示することができる。
【００１０】
請求項３に記載の発明は、請求項２に記載の電子機器であって、上記の距離を示す信号が、上記の距離が遠いことを示している場合は、上記の距離が近いことを示している場合に比し、本体側制御部は、表示される映像の明るさを明るくするように制御することを特徴とする。
【００１１】
同構成によれば、上記の距離を示す信号が、上記の距離が遠いことを示している場合は、上記の距離が近いことを示している場合に比し、本体側制御部は、表示される映像の明るさを明るくするように制御する。このため、リモコン装置を使用するユーザーが、電子機器本体から遠ざかった場合であっても、映像の明るさを明るくして、ユーザーが視聴しやすい映像を提示することができる。ここでいう、「距離が遠いこと」とは、リモコン装置において測定された電波の強度と、閾値とを比較した場合に、測定された電波の強度が、閾値と同じ又は閾値よりも小さいことである。また、「距離が近いこと」とは、リモコン装置において測定された電波の強度と、他の閾値とを比較した場合に、測定された電波の強度が、他の閾値よりも大きいことである。
【００１２】
請求項４に記載の発明は、請求項１乃至請求項３のいずれか１項に記載の電子機器であって、出力部は音声を再生するとともに、本体側制御部は、距離を示す信号に基づいて、再生される音声の音量を制御することを特徴とする。
【００１３】
同構成によれば、本体側制御部は、上記の距離を示す信号に基づいて、出力部で再生される音声の音量を制御するため、リモコン装置を使用するユーザーと電子機器本体が備えた音声が再生される出力部との距離に応じて、ユーザーが視聴しやすい音声を発生することができる。
【００１４】
請求項５に記載の発明は、請求項４に記載の電子機器であって、上記の距離を示す信号が、上記の距離が遠いことを示している場合は、上記の距離が近いことを示している場合に比し、本体側制御部は、再生される音声の音量を大きくするように制御することを特徴とする。
【００１５】
同構成によれば、上記の距離を示す信号が、上記の距離が遠いことを示している場合は、上記の距離が近いことを示している場合に比し、本体側制御部は、再生される音声の音量を大きくするように制御する。このため、リモコン装置を使用するユーザーが、電子機器本体から遠ざかった場合であっても、音声の音量を大きくして、ユーザーが視聴しやすい音声を発生することができる。
【００１６】
請求項６に記載の発明は、請求項１乃至請求項５のいずれか１項に記載の電子機器であって、リモコン装置は、上記の距離を検出するための閾値が記憶された記憶部をさらに備え、距離検出部は、測定された電波の強度と閾値とを比較して、上記の距離を検出することを特徴とする。
【００１７】
同構成によれば、距離検出部は、測定された電波の強度と記憶部に記憶された閾値とを比較して、電子機器本体とリモコン装置との距離を検出するため、電子機器本体とリモコン装置との距離を、比較演算することによって容易に検出することができる。
【００１８】
請求項７に記載の発明は、請求項１乃至請求項６のいずれか１項に記載の電子機器であって、電波送信部は、リモコン装置の位置を検出するための位置検出信号の電波を送信し、リモコン装置は、電波受信部が位置検出信号の電波を受信した場合に、リモコン装置の位置を報知する報知部をさらに備えることを特徴とする。
【００１９】
同構成によれば、電波送信部は、リモコン装置の位置を検出するための位置検出信号の電波を送信し、リモコン装置は、電波受信部が位置検出信号の電波を受信した場合に、リモコン装置の位置を報知する報知部をさらに備えている。このため、電子機器は、リモコン装置の所在を探索するロケータ機能を有することができ、電波送信部は、リモコン装置の位置を検出するための電波を送信するとともに、電子機器本体とリモコン装置との距離を検出するための電波も送信する。従って、ロケータ機能を有するとともに電子機器本体とリモコン装置との距離に応じてコンテンツの出力を制御する電子機器を、簡単な構成で得ることができる。
【発明の効果】
【００２０】
本発明によれば、電子機器本体とリモコン装置との通信の回数を少なくして、簡単なシステムで、電子機器本体とリモコン装置との距離に応じたコンテンツの出力の制御を行うことができる。
【発明を実施するための最良の形態】
【００２１】
以下に、本発明の具体的な実施形態について図面を参照しながら説明する。図１は、本発明の実施形態に係る電子機器の構成を示すブロック図である。図１に示すように、電子機器であるテレビ受信装置１は、放送信号を受信してコンテンツ（映像及び音声）を出力する電気機器本体である放送受信機２と、放送受信機２の操作を行うためのリモコン装置３とから構成されている。
【００２２】
放送受信機２は、外部に設けられたアンテナＡによって受信した放送信号（映像信号及び音声信号）に対して種々の信号処理を施す信号処理部４と、信号処理が施された映像信号に基づいて映像を表示するディスプレイ５と、信号処理が施された音声信号に基づいて音声を再生するスピーカー６とを備えている。
【００２３】
さらに、放送受信機２は、リモコン装置３からのリモコン信号を受信するリモコン信号受信部７と、リモコン信号に基づいてコンテンツの出力（即ち、映像の表示及び音声の再生）を制御する本体側制御部８と、リモコン装置３へ位置検出信号を電波で送信する電波送信部９とを備えている。本体側制御部８は、例えば、メモリ（不図示）に記憶されたプログラムに基づいて演算処理を行うＣＰＵ（不図示）であって、信号処理部４における放送信号に対する信号処理を制御することによって、ディスプレイ５及びスピーカー６におけるコンテンツの出力を制御する。
【００２４】
ワイヤレスのリモコン装置３は、視聴者が放送受信機２の操作を行うための操作部１０と、操作部１０の操作内容に応じてリモコン信号を生成するリモコン側制御部１１と、生成されたリモコン信号を送信するリモコン信号送信部１２とを備えている。リモコン側制御部１１は、例えば、ＣＰＵコアやメモリ（いずれも不図示）を内蔵したマイコンであって、リモコン側制御部１１に入力された電気信号に基づいて、リモコン信号を生成するとともに、生成されたリモコン信号をリモコン信号送信部１２へ出力する。
【００２５】
さらに、リモコン装置３は、放送受信機２から送信された電波を受信する電波受信部１３と、位置検出信号の電波を受信した場合に、リモコン装置３の位置を報知する報知部１４とを備えている。即ち、テレビ受信装置１は、リモコン装置３の置き忘れや紛失により、リモコン装置３の所在が判らなくなった場合に、このリモコン装置３を探索するためのロケータ機能（位置検出機能）を有している。
【００２６】
テレビ受信装置１におけるロケータ機能に係る動作を、図２を参照しながら、より詳しく説明する。
まず、リモコン装置３の所在が判らなくなった場合に、テレビ受信装置１のユーザーにより放送受信機２に設けられたリモコン装置探索用の操作スイッチ（不図示）が操作される（ステップＳ１）。次いで、操作スイッチが操作されたことを本体側制御部８が検知して、リモコン装置３の位置を検出するための位置検出信号を生成するとともに、生成された位置検出信号を電波送信部９へ送信し、電波送信部９が、位置検出信号を示す電波をリモコン装置３へ送信する（ステップＳ２）。電波送信部９は、例えば、本体側制御部８から入力された位置検出信号を電波で送信するために位置検出信号を変調する集積回路（不図示）や、電波送信用のアンテナ（不図示）から構成されている。
【００２７】
次いで、リモコン装置３の電波受信部１３が、放送受信機２（より具体的には、放送受信機２の電波送信部９）から送信された位置検出信号を含む電波を受信する（ステップＳ３）。電波受信部１３は、例えば、電波受信用のアンテナ（不図示）や、受信した電波に含まれる信号を得るために電波を復調する集積回路（不図示）から構成されている。そして、リモコン側制御部１１は、電波に含まれていた信号が、位置検出信号であると確認した後、報知部１４に対して、リモコン装置３の位置を報知するように制御信号を発生し、報知部１４が、例えば、音声を発生して、リモコン装置３の位置をユーザーに報知する（ステップＳ４）。
【００２８】
以上のようにして、ユーザーにより放送受信機２の操作スイッチが操作されることによって、リモコン装置３の報知部１４が、その位置をユーザーに報知するため、ユーザーはリモコン装置３の所在を知ることができる。
【００２９】
ここで、本実施形態においては、放送受信機２は、電波を周期的に送信する電波送信部９を備え、リモコン装置３は、電波の強度を測定する電界強度測定部１５と、放送受信機２とリモコン装置３との距離を検出する距離検出部１６と、上記の距離を示す信号を送信するリモコン信号送信部１２とを備えている。
【００３０】
上記のような構成により、本実施形態においては、放送受信機２におけるコンテンツの出力が自動的に制御される。以下、テレビ受信装置１における、自動的に行われるコンテンツの出力の制御に係る動作を、図３及び図４を参照しながら、より具体的に説明する。
【００３１】
まず、本体側制御部８が、周期的に監視信号を生成するとともに、生成された監視信号を電波送信部９へ送信し、電波送信部９が、監視信号を示す電波をリモコン装置３へ周期的に送信する（ステップＳ１１）。ここで、電波送信部９によって周期的に送信される電波に含まれる監視信号は、位置検出信号とは異なる他の信号であって、放送受信機２とリモコン装置３との距離の変化を監視するための信号である。
【００３２】
次いで、リモコン装置３の電波受信部１３が、ステップＳ３と同様に、放送受信機２（より具体的には、放送受信機２の電波送信部９）から送信された電波を受信する（ステップＳ１２）。
【００３３】
次いで、電界強度測定部１５が、電波受信部１３のアンテナ（不図示）によって受信された監視信号を含む電波の強度を測定する（ステップＳ１３）。そして、電界強度測定部１５によって測定された電波の強度を示す信号が距離検出部１６へ出力される。
【００３４】
次いで、距離検出部１６が、電界強度測定部１５によって測定された電波の強度に基づいて放送受信機２とリモコン装置３との距離を検出する（ステップＳ１４）。より具体的には、図４に示す手順で、放送受信機２とリモコン装置３との距離が検出される。
【００３５】
即ち、まず、集積回路である距離検出部１６が、ステップＳ１３において測定された電波の強度と、記憶部１７に記憶されている所定の第１の閾値との比較演算を行い、電波の強度が、第１の閾値よりも大きいか否かが判断される（ステップＳ２１）。第１の閾値は、放送受信機２とリモコン装置３との距離が近距離であるか否かを判断するための値であって、放送受信機２が送信する電波に応じて予めリモコン装置３の記憶部１７に記憶されている。即ち、放送受信機２から送信されてリモコン装置３が受信した電波の強度は、例えば、図５に示すように、放送受信機２とリモコン装置３との距離に応じて変化する。そこで、放送受信機２とリモコン装置３との距離が０ｍ以上５ｍ未満である場合を近距離であるとすると、放送受信機２とリモコン装置３との距離が０ｍの場合に電波受信部１３が受信する電波の強度を１００％として、８５％の強度を第１の閾値とする。
【００３６】
次いで、ステップＳ２１において、距離検出部１６の比較演算の結果、電波の強度が第１の閾値以下であった場合、距離検出部１６が、ステップＳ１３において測定された電波の強度と、記憶部１７に記憶されている所定の第２の閾値との比較演算を行い、電波の強度が、第２の閾値よりも大きいか否かが判断される（ステップＳ２２）。第２の閾値は、放送受信機２とリモコン装置３との距離が遠距離であるか否かを判断するための値であって、放送受信機２が送信する電波に応じて予めリモコン装置３の記憶部１７に記憶されている。即ち、上述したように、図５に示すように、受信した電波の強度は、放送受信機２とリモコン装置３との距離に応じて変化するため、放送受信機２とリモコン装置３との距離が１０ｍ以上である場合を遠距離であるとすると、放送受信機２とリモコン装置３との距離が０ｍの場合に電波受信部１３が受信する電波の強度を１００％として、５０％の強度を第２の閾値とする。
【００３７】
そして、ステップＳ２１において、距離検出部１６の比較演算の結果、電波の強度が第１の閾値よりも大きかった場合、距離検出部１６は、放送受信機２とリモコン装置３との距離が近距離であることを検出して、放送受信機２とリモコン装置３との距離が近距離であることを示す電気信号をリモコン側制御部１１へ出力する（ステップＳ２３）。また、ステップＳ２２において、距離検出部１６の比較演算の結果、電波の強度が第２の閾値よりも大きかった場合、距離検出部１６は、放送受信機２とリモコン装置３との距離が中距離であることを検出して、放送受信機２とリモコン装置３との距離が中距離であることを示す電気信号をリモコン側制御部１１へ出力する（ステップＳ２４）。なお、中距離とは、近距離よりも遠く遠距離よりも近い距離である。また、ステップＳ２２において、距離検出部１６の比較演算の結果、電波の強度が第２の閾値以下であった場合、距離検出部１６は、放送受信機２とリモコン装置３との距離が遠距離であることを検出して、放送受信機２とリモコン装置３との距離が遠距離であることを示す電気信号をリモコン側制御部１１へ出力する（ステップＳ２５）。
【００３８】
以上のようにしてステップＳ１４においては、ステップＳ２１〜Ｓ２５で示した手順により放送受信機２とリモコン装置３との距離が検出される。そして、距離検出部１６によって検出された上記の距離を示す電気信号（即ち、放送受信機２とリモコン装置３との距離が近距離または中距離または遠距離であることを示す電気信号）がリモコン側制御部１１へ送信される。
【００３９】
次いで、リモコン側制御部１１が、距離検出部１６から入力された電気信号に基づき、リモコン信号を生成するとともに、生成されたリモコン信号がリモコン信号送信部１２へ出力されて、リモコン信号送信部１２が、放送受信機２とリモコン装置３との距離を示す信号をリモコン信号として送信する（ステップＳ１５）。リモコン信号送信部１２は、例えば、リモコン側制御部１１によって生成されたリモコン信号を赤外線で送信するためにリモコン信号を変調する集積回路（不図示）や、赤外線送信用の発光素子（不図示）から構成されている。
【００４０】
次いで、放送受信機２のリモコン信号受信部７が、リモコン装置３（より具体的には、リモコン装置３のリモコン信号送信部１２）から送信された放送受信機２とリモコン装置３との距離を示すリモコン信号を受信する（ステップＳ１６）。リモコン信号受信部７は、例えば、赤外線受信用の受光素子（不図示）や、リモコン信号を得るための復調を行う集積回路（不図示）から構成されている。
【００４１】
そして、リモコン信号受信部７によって受信された距離を示すリモコン信号に基づいて、本体側制御部８は、コンテンツの出力を制御する（ステップＳ１７）。より具体的には、リモコン信号に基づいて、本体側制御部８は、信号処理部４における信号処理を制御することにより、ディスプレイ５及びスピーカー６において出力されるコンテンツを制御する。即ち、本体側制御部８は、ディスプレイ５における映像の表示を制御するとともに、スピーカー６における音声の再生を制御する。
【００４２】
従って、上記構成によれば、放送受信機２は、電波をリモコン装置３へ周期的に送信する電波送信部９を備え、リモコン装置３は、送信された電波を受信する電波受信部１３と、受信した電波の強度を測定する電界強度測定部１５と、測定された電波の強度に基づいて放送受信機２とリモコン装置３との距離を検出する距離検出部１６を備えている。このため、放送受信機２からリモコン装置３へ送信された電波の強度を測定することによって、放送受信機２とリモコン装置３との距離を検出することができる。そして、リモコン装置３は、放送受信機２とリモコン装置３との距離を示す信号をリモコン信号として送信するリモコン信号送信部１２をさらに備え、放送受信機２は、リモコン信号を受信するリモコン信号受信部７と、ディスプレイ５及びスピーカー６、リモコン信号に基づいて映像及び音声の出力を制御する本体側制御部８とをさらに備えている。このため、リモコン装置３から放送受信機２へ送信されたリモコン信号に基づいて、放送受信機２とリモコン装置３との距離に応じて、コンテンツの出力（即ち、映像の表示及び音声の再生）を制御することができる。
【００４３】
また、本実施形態においては、コンテンツを出力する出力部は、ディスプレイ５であって、本体側制御部８は、リモコン信号送信部１２によって送信された距離を示す信号に基づいて、ディスプレイ５に表示される映像の明るさを制御する。
【００４４】
より具体的には、距離を示す信号が、放送受信機２とリモコン装置３との距離が遠いことを示している場合は、放送受信機２とリモコン装置３との距離が近いことを示している場合に比し、本体側制御部８は、表示される映像の明るさを明るくするように制御する。
【００４５】
また、本実施形態においては、コンテンツを出力する出力部は、さらにスピーカー６であって、本体側制御部８は、リモコン信号送信部１２によって送信された距離を示す信号に基づいて、スピーカー６によって再生される音声の音量を制御する。
【００４６】
より具体的には、距離を示す信号が、放送受信機２とリモコン装置３との距離が遠いことを示している場合は、放送受信機２とリモコン装置３との距離が近いことを示している場合に比し、本体側制御部８は、再生される音声の音量を大きくするように制御する。
【００４７】
上記実施形態のテレビ受信装置１によれば、以下のような効果を得ることができる。
（１）放送受信機２は、電波送信部９を備え、リモコン装置３は、電波受信部１３と、電界強度測定部１５と、距離検出部１６とを備えているため、放送受信機２からリモコン装置３へ送信された電波の強度を測定することによって、放送受信機２とリモコン装置３との距離を検出することができる。さらに、リモコン装置３は、リモコン信号送信部１２を備え、放送受信機２は、リモコン信号受信部７と、ディスプレイ５及びスピーカー６、本体側制御部８とを備えているため、リモコン装置３から放送受信機２へ送信されたリモコン信号に基づいて、放送受信機２とリモコン装置３との距離に応じて、コンテンツの出力を制御することができる。即ち、放送受信機２とリモコン装置３との距離に応じたコンテンツの出力の制御を行う際の放送受信機２とリモコン装置３との通信は、放送受信機２からリモコン装置３への電波の送信と、リモコン装置３から放送受信機２へのリモコン信号の送信が行われるだけである。従って、放送受信機２とリモコン装置３との通信の回数を少なくして、簡単なシステムで、放送受信機２とリモコン装置３との距離に応じたコンテンツの出力の制御を行うことができる。
【００４８】
（２）リモコン装置３が距離検出部１６を備えるため、放送受信機２が、放送受信機２とリモコン装置３との距離を検出する距離検出部（不図示）を備えるような場合に比し、放送受信機２の構成を簡単にすることができる。
【００４９】
（３）放送受信機２とリモコン装置３との距離を検出するために強度が測定される電波は、電波送信部９によりリモコン装置３へ周期的に送信されるため、放送受信機２とリモコン装置３との距離を監視することができる。
【００５０】
（４）本体側制御部８は、リモコン信号送信部１２によって送信された距離を示す信号に基づいて、ディスプレイ５に表示される映像の明るさを制御するため、リモコン装置３を使用するユーザーと放送受信機２が備えた映像が表示されるディスプレイ５との距離に応じて、ユーザーが視聴しやすい映像を提示することができる。
【００５１】
（５）距離を示す信号が、放送受信機２とリモコン装置３との距離が遠い（即ち、遠距離である）ことを示している場合は、放送受信機２とリモコン装置３との距離が近い（即ち、近距離である）ことを示している場合に比し、本体側制御部８は、ディスプレイ５に表示される映像の明るさを明るくするように制御する。このため、リモコン装置を使用するユーザーが、放送受信機２から遠ざかった場合であっても、映像の明るさを明るくして、ユーザーが視聴しやすい映像を提示することができる。なお、「距離が遠いこと」とは、上述のごとく、リモコン装置３において測定された電波の強度と、第２の閾値とを比較した場合に、測定された電波の強度が、第２の閾値と同じ又は第２の閾値よりも小さいことである。また、「距離が近いこと」とは、リモコン装置３において測定された電波の強度と、第１の閾値とを比較した場合に、測定された電波の強度が、第１の閾値よりも大きいことである。
【００５２】
（６）本体側制御部８は、リモコン信号送信部１２によって送信された距離を示す信号に基づいて、スピーカー６によって再生される音声の音量を制御するため、リモコン装置３を使用するユーザーと放送受信機２が備えた音声が再生されるスピーカー６との距離に応じて、ユーザーが視聴しやすい音声を発生することができる。
【００５３】
（７）距離を示す信号が、放送受信機２とリモコン装置３との距離が遠いことを示している場合は、放送受信機２とリモコン装置３との距離が近いことを示している場合に比し、本体側制御部８は、スピーカー６によって再生される音声の音量を大きくするように制御する。このため、リモコン装置３を使用するユーザーが、放送受信機２から遠ざかった場合であっても、音声の音量を大きくして、ユーザーが視聴しやすい音声を発生することができる。
【００５４】
（８）リモコン装置３は、距離を検出するための閾値（即ち、第１の閾値及び第２の閾値）が記憶された記憶部１７をさらに備え、距離検出部１６は、測定された電波の強度と閾値とを比較して、放送受信機２とリモコン装置３との距離を検出している。このため、距離検出部１６は、測定された電波の強度と記憶部１７に記憶された閾値とを比較して、放送受信機２とリモコン装置３との距離を検出するため、放送受信機２とリモコン装置３との距離を、比較演算することによって容易に検出することができる。
【００５５】
（９）電波送信部９は、上述のごとく、リモコン装置３の位置を検出するための位置検出信号の電波を送信し、リモコン装置３は、電波受信部１３が位置検出信号の電波を受信した場合に、リモコン装置３の位置を報知する報知部１４をさらに備えている。このため、テレビ受信装置１は、リモコン装置３の所在を探索するロケータ機能を有することができ、電波送信部９は、リモコン装置３の位置を検出するための電波を送信するとともに、放送受信機２とリモコン装置３との距離を検出するための電波も送信する。従って、ロケータ機能を有するとともに放送受信機２とリモコン装置３との距離に応じてコンテンツの出力を制御するテレビ受信装置１を、簡単な構成で得ることができる。
【００５６】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよい。以下のように変更しても、少なくとも上記（１）〜（３）の効果を得ることができる。
【００５７】
・上記実施形態においては、電界強度測定部１５が強度を測定する電波は、監視信号を含む電波であったが、電波送信部９によって周期的に送信された電波であればどのような電波であってもよく、例えば、リモコン装置３の所在を探索するために送信された位置検出信号を含む電波であってもよい。
【００５８】
・上記実施形態においては、本体側制御部８は、リモコン信号送信部１２によって送信された距離を示す信号に基づいて、スピーカー６によって再生される音声の音量を制御したが、音声の音量以外を制御するようにしてもよい。
【００５９】
・上記実施形態においては、本体側制御部８は、リモコン信号送信部１２によって送信された距離を示す信号に基づいて、ディスプレイ５に表示される映像の明るさを制御したが、映像の明るさ以外を制御するようにしてもよい。
【００６０】
・上記実施形態においては、放送受信機２は、コンテンツを出力する出力部としてディスプレイ５とスピーカー６の双方を備えていたが、ディスプレイ５とスピーカー６の一方を備えていればよい。また、ディスプレイ５やスピーカー６以外の出力部を備えていてもよい。
【００６１】
・上記実施形態においては、電子機器本体は放送受信機２であったが、コンテンツを出力するものであればその他の機器であってもよい。従って、上記実施形態においては、電子機器はテレビ受信装置１であったが、その他のものであってもよい。
【図面の簡単な説明】
【００６２】
【図１】本発明の実施形態に係る電子機器であるテレビ受信装置を示すブロック図。
【図２】リモコン装置の所在を探索する際の動作を説明するためのフローチャート。
【図３】電子機器本体とリモコン装置との距離に基づいてコンテンツの出力を調整する際の動作を説明するためのフローチャート。
【図４】電子機器本体とリモコン装置との距離を検出する際の手順を説明するためのフローチャート。
【図５】電子機器本体とリモコン装置との距離に応じて変化する、電子機器本体から送信されてリモコン装置が受信した電波の強度を説明するためのグラフ。
【符号の説明】
【００６３】
１…テレビ受信装置（電子機器）、２…放送受信機（電子機器本体）、３…リモコン装置、５…ディスプレイ（出力部）、６…スピーカー（出力部）、７…リモコン信号受信部、８…本体側制御部、９…電波送信部、１１…リモコン側制御部、１２…リモコン信号送信部、１３…電波受信部、１４…報知部、１５…電界強度測定部、１６…距離検出部、１７…記憶部。
【図１】
2009253453.tif 000003
【図２】
2009253453.tif 000004
【図３】
2009253453.tif 000005
【図４】
2009253453.tif 000006
【図５】
2009253453.tif 000007